(57)【要約】【課題】洗濯家事の家事効率向上を図ることができるとともに、居室側へ埃や花粉等の異物が流れ込むのを抑制することができる住宅を提供する。【解決手段】住宅１０において、玄関１１の脇には、衣類を収納可能な玄関脇収納スペース４１が設けられている。玄関１１からリビング１２へは廊下３１が延びており、その廊下３１の脇には、洗濯機５１の設置スペース５２と、洗濯機５１で洗濯される洗濯物を干すための物干しスペース５３とが設けられている。また、玄関１１には、換気装置４５が設けられ、その換気装置４５により廊下３１において玄関１１へ向けた空気の流れが生じるようになっている。【選択図】      図１
2020125664.tif 000002
【特許請求の範囲】
【請求項１】
玄関の脇に設けられ、衣類を収納可能な玄関脇収納スペースと、
前記玄関から居室へ通じる通路領域と、
前記通路領域の脇に設けられ、洗濯機が設置される設置スペースと、
前記通路領域の脇に設けられ、前記洗濯機で洗濯される洗濯物を干すための物干しスペースと、
前記通路領域において前記玄関へ向けた空気の流れを生じさせる気流発生手段と、
を備えることを特徴とする住宅。
【請求項２】
前記通路領域の脇に設けられ、前記物干しスペースで乾かされた洗濯物を収納する通路脇収納スペースを備え、
前記通路脇収納スペースは、前記物干しスペースの隣りに設けられていることを特徴とする請求項１に記載の住宅。
【請求項３】
前記通路領域は前記玄関から直線状に延びており、
その通路領域に沿って前記洗濯機の設置スペースと前記物干しスペースと前記通路脇収納スペースとが並んで設けられていることを特徴とする請求項２に記載の住宅。
【請求項４】
前記洗濯機の設置スペースは、前記玄関脇収納スペースと前記物干しスペースとの間に位置していることを特徴とする請求項３に記載の住宅。
【請求項５】
前記物干しスペースに空調空気を吹き出す吹出口と、
その物干しスペースに吹き出された空調空気を前記居室へ導く通気部と、
を備えることを特徴とする請求項１乃至４のいずれか一項に記載の住宅。
【請求項６】
前記居室は、前記通路領域を挟んで又は挟まずに前記物干しスペースと隣り合っているとともに、前記物干しスペース側と仕切体により仕切られており、
前記仕切体には、前記居室と前記物干しスペース側とを連通する前記通気部が設けられていることを特徴とする請求項５に記載の住宅。
【請求項７】
前記玄関から前記居室への移動経路として、前記通路領域を経由する第１移動経路と、前記通路領域を経由しない第２移動経路とが設けられていることを特徴とする請求項１乃至６のいずれか一項に記載の住宅。
【発明の詳細な説明】
【技術分野】
【０００１】
本発明は、住宅に関する。
【背景技術】
【０００２】
住宅には、屋内に洗濯物を干すための物干しスペースが設けられている場合がある（例えば特許文献１参照）。かかる住宅では、雨天時や夜間等においても室内で洗濯物を干すことが可能となる。
【０００３】
また、住宅には、玄関脇に衣類を収納可能な収納スペース（例えば玄関クローゼット）が設けられている場合がある。かかる住宅では、その収納スペースにコート等の上着をかけておくことができるため、外出する際に都合がよい。
【先行技術文献】
【特許文献】
【０００４】
【特許文献１】特開２０１２−１２０５５４号公報
【発明の概要】
【発明が解決しようとする課題】
【０００５】
ところで、玄関脇の収納スペースは、子供等が外で汚した衣類、つまり帰宅後の汚れた衣類を置いておくためのスペースとして利用することが考えられる。この場合、汚れた衣類に付着した埃や花粉等が住宅内に入り込むのを抑制することが可能となる。
【０００６】
玄関脇の収納スペースに汚れた衣類を置いておく場合、その衣類を洗濯する際には、その衣類を玄関から洗濯機の置かれた脱衣室等へ持ち運ぶ必要がある。そして、洗濯後はその洗濯された衣類を物干しスペースへ持ち運んで干す必要がある。したがって、この場合、洗濯に際し、玄関、洗濯機及び物干しスペースの間を移動することになる。
【０００７】
しかしながら、従来の住宅では、玄関に対して洗濯機と物干しスペースとが異なる側に位置している等して、それら３者間の移動を効率よく行えない場合が想定される。その場合、洗濯家事を効率よく行えないおそれがある。
【０００８】
また、玄関脇の収納スペースに汚れた衣類を置いておく場合、その衣類に付着した埃や花粉等が玄関側から居室側へと流れ込む場合も考えられる。
【０００９】
本発明は、上記事情に鑑みてなされたものであり、洗濯家事の家事効率向上を図ることができるとともに、居室側へ埃や花粉等の異物が流れ込むのを抑制することができる住宅を提供することを主たる目的とするものである。
【課題を解決するための手段】
【００１０】
上記課題を解決すべく、第１の発明の住宅は、玄関の脇に設けられ、衣類を収納可能な玄関脇収納スペースと、前記玄関から居室へ通じる通路領域と、前記通路領域の脇に設けられ、洗濯機が設置される設置スペースと、前記通路領域の脇に設けられ、前記洗濯機で洗濯される洗濯物を干すための物干しスペースと、前記通路領域において前記玄関へ向けた空気の流れを生じさせる気流発生手段と、を備えることを特徴とする。
【００１１】
本発明によれば、玄関の脇に玄関脇収納スペースが設けられているため、その玄関脇収納スペースに帰宅後の汚れた衣類を置いておくことができる。また、玄関から居室へ通じる通路領域の脇には、洗濯機の設置スペースと、その洗濯機で洗濯された洗濯物を干す物干しスペースとが設けられている。この場合、玄関（玄関脇収納スペース）と洗濯機と物干しスペースとの間の移動がし易くなっているため、玄関脇収納スペースの汚れた衣類を洗濯機で洗濯し、その後洗濯した衣類を物干しスペースで干すにあたって、作業効率（家事効率）の向上を図ることができる。
【００１２】
また、玄関から居室へと延びる通路領域においては、気流発生手段により玄関へ向けた空気の流れが生じるようになっているため、玄関脇収納スペースの汚れた衣類に付着された埃や花粉等が通路領域を通じて居室へ流れ込むのを抑制することができる。これにより、洗濯家事の家事効率向上を図ることができるとともに、居室側へ埃や花粉等の異物が流れ込むのを抑制することができる。
【００１３】
第２の発明の住宅は、第１の発明において、前記通路領域の脇に設けられ、前記物干しスペースで乾かされた洗濯物を収納する通路脇収納スペースを備え、前記通路脇収納スペースは、前記物干しスペースの隣りに設けられていることを特徴とする。
【００１４】
本発明によれば、物干しスペースで乾かされた洗濯物を、その隣りに設けられた通路脇収納スペースに収納することができる。これにより、洗濯と洗濯物干しとに加え、干し終わった洗濯物の片付けを含めた一連の洗濯家事を行うにあたり、家事効率の向上を図ることができる。
【００１５】
第３の発明の住宅は、第２の発明において、前記通路領域は前記玄関から直線状に延びており、その通路領域に沿って前記洗濯機の設置スペースと前記物干しスペースと前記通路脇収納スペースとが並んで設けられていることを特徴とする。
【００１６】
本発明によれば、通路領域が玄関から直線状に延びており、その通路領域に沿って洗濯機と物干しスペースと通路脇収納スペースとが並んで設けられている。この場合、洗濯、洗濯物干し、片付けという一連の洗濯家事をより効率よく行うことが可能となる。
【００１７】
第４の発明の住宅は、第３の発明において、前記洗濯機の設置スペースは、前記玄関脇収納スペースと前記物干しスペースとの間に位置していることを特徴とする。
【００１８】
本発明によれば、洗濯機が玄関脇収納スペースと物干しスペースとの間に配置されているため、玄関から洗濯機への移動動線、及び、洗濯機から物干しスペースへの移動動線をそれぞれ短縮化することができる。これにより、玄関脇収納スペースの汚れた衣類を洗濯機に持ち運んで洗濯する際、及び、その洗濯された洗濯物を物干しスペースに持ち運んで干す際のそれぞれにおいて、家事効率の向上を図ることが可能となる。
【００１９】
第５の発明の住宅は、第１乃至第４のいずれかの発明において、前記物干しスペースに空調空気を吹き出す吹出口と、その物干しスペースに吹き出された空調空気を前記居室へ導く通気部と、を備えることを特徴とする。
【００２０】
本発明によれば、物干しスペースに向けて吹出口より空調空気が吹き出されるため、その空調空気により洗濯物を乾かし易くすることができる。また、この場合、空調空気は洗濯物の水分を帯びて湿気を含むことになり、その湿気を含んだ空調空気が通気部を通じて居室へ導かれる。これにより、洗濯物を乾かし易くしながら、湿潤した空調空気を居室に取り入れることが可能となる。
【００２１】
第６の発明の住宅は、第５の発明において、前記居室は、前記通路領域を挟んで又は挟まずに前記物干しスペースと隣り合っているとともに、前記物干しスペース側と仕切体により仕切られており、前記仕切体には、前記居室と前記物干しスペース側とを連通する前記通気部が設けられていることを特徴とする。
【００２２】
本発明によれば、居室が、通路領域を挟んで又は挟まずに物干しスペースと隣り合っている。そして、居室は、物干しスペース側と仕切体によって仕切られており、その仕切体には空調空気を居室へ導く通気部が形成されている。この場合、居室の隣りにある物干しスペースから空調空気が導かれるため、居室に湿潤した空調空気を取り入れ易くすることができる。
【００２３】
第７の発明の住宅は、第１乃至第６のいずれかの発明において、前記玄関から前記居室への移動経路として、前記通路領域を経由する第１移動経路と、前記通路領域を経由しない第２移動経路とが設けられていることを特徴とする。
【００２４】
本発明によれば、玄関から居室への移動経路として、通路領域を経由する第１移動経路と、通路領域を経由しない第２移動経路とが設けられている。この場合、第１移動経路（通路領域）は洗濯家事を行う際に利用し、第２移動経路は居室へ出入りする際に利用することが可能となる。これにより、洗濯家事を行う者と、居室へ出入りする者とが互いに干渉するといった不都合が生じるのを回避することができる。
【図面の簡単な説明】
【００２５】
【図１】第１の実施形態における住宅の一階部分の間取りを示す平面図。
【図２】玄関及び廊下の脇スペースを示す正面図。
【図３】住宅内の空気の流れと洗濯動線とを説明するための平面図。
【図４】第２の実施形態における住宅の一階部分の間取りを示す平面図。
【図５】玄関及び通路領域の脇スペースを示す正面図。
【発明を実施するための形態】
【００２６】
〔第１の実施形態〕
以下に、本発明を具体化した一実施の形態について図面を参照しつつ説明する。本実施形態では、住宅が二階建てとされており、図１はその住宅の一階部分の間取りを示す平面図となっている。以下、この図１に基づいて、住宅１０の一階部分の間取りについて説明する。なお、図１では、その上下方向が東西方向となっており、その左右方向が南北方向となっている。
【００２７】
図１に示すように、住宅１０は、平面視にて矩形形状をなしており、その外周部には外壁部２０が設けられている。この外壁部２０により、住宅１０の内外が仕切られている。住宅１０の一階部分には、外壁部２０により囲まれた内側に複数の屋内空間が形成されている。住宅１０には、屋内空間として、玄関１１と、リビング１２と、ダイニング１３と、キッチン１４と、トイレ１５と、脱衣室１６と、浴室１７と、収納室１８とが設けられている。
【００２８】
玄関１１は、住宅１０の北側に設けられ、外壁部２０により屋外と仕切られている。その外壁部２０には、玄関１１への出入りを行うための玄関口２１が設けられている。玄関口２１は、北向きに開口して設けられている。また、玄関口２１には玄関ドア２２が設けられている。
【００２９】
リビング１２、ダイニング１３及びキッチン１４は互いに連続した連続空間とされ、つまりＬＤＫ１２〜１４（リビングダイニングキッチン）とされている。ＬＤＫ１２〜１４は、平面視にてＬ字状に形成されている。詳しくは、ＬＤＫ１２〜１４において、リビング１２及びダイニング１３は住宅１０の南側で東西に並んでおり、リビング１２が東側、ダイニング１３が西側に位置している。また、キッチン１４は、ダイニング１３の北側に位置している。
【００３０】
玄関１１からは２つの廊下２４，２５が互いに異なる方向へ延びている。これら各廊下２４，２５のうち、廊下２４はリビング１２へ向けて南北に延びており、廊下２５はトイレ１５や脱衣室１６へ向けて東西に延びている。また、廊下２４の途中には開き戸からなるドア２６が設けられている。
【００３１】
廊下２４とキッチン１４との間には収納室１８が設けられている。収納室１８には、物品を収納可能な収納棚等が設けられている。収納室１８へは廊下２４から出入口２７を介して出入り可能とされ、キッチン１４から出入口２８を介して出入り可能とされ、脱衣室１６から出入口２９を介して出入り可能とされている。この場合、収納室１８を通じて廊下２４、キッチン１４及び脱衣室１６の間を行き来することが可能となっている。また、各出入口２７〜２９のうち、廊下２４側の出入口２７とキッチン１４側の出入口２８とは収納室１８を挟んで互いに対向している。また、各出入口２７〜２９にはそれぞれドア２７ａ〜２９ａが設けられている。
【００３２】
ここで、本住宅１０には、洗濯家事の効率化等を図るべく、特徴的な構成が設けられており、以下においては、その特徴的な構成について説明する。
【００３３】
住宅１０には、玄関１１からリビング１２に通じる廊下として、上述した廊下２４に加えて、廊下３１が設けられている。廊下３１は、玄関１１から廊下２４と同じ方向（南北方向）に直線状に延びている。また、廊下３１は、住宅１０の南北方向全域に亘るように延びている。なお、廊下２４にはその途中にドア２６が設けられていたが、廊下３１にはその途中にドアが設けられていない。また、この場合、リビング１２（ひいてはＬＤＫ１２〜１４）が居室に相当し、廊下３１が通路領域に相当する。
【００３４】
なお、以下の説明では、廊下３１の延びる方向を第１方向Ｘともいい、その第１方向Ｘと平面視にて直交（交差）する方向を第２方向Ｙともいう。本実施形態では、第１方向Ｘが南北方向とされ、第２方向Ｙが東西方向とされている。
【００３５】
廊下３１は、廊下２４と第２方向Ｙにおいて隣接しており、その廊下２４と仕切壁３２により仕切られている。詳しくは、玄関１１は、平面視にて第２方向Ｙに長い長方形状をなしており、その玄関１１における第２方向Ｙの一方側（西側）から廊下２４が延びており、他方側（東側）から廊下３１が延びている。
【００３６】
より詳しくは、玄関１１の玄関口２１は、その開口幅方向が第２方向Ｙとされており、玄関１１は、その一部が当該開口幅方向において玄関口２１よりも張り出した張出領域１１ａとされている。そして、その張出領域１１ａから廊下３１が延びている。したがって、廊下３１は、その延びる方向（第１方向Ｘ）において玄関口２１と重複しないように配置されている。
【００３７】
廊下３１は、廊下２４を挟んで収納室１８とは反対側に位置している。各廊下２４，３１の間の仕切壁３２には、出入口３３が設けられている。この出入口３３を通じて各廊下２４，３１の間の行き来が可能となっている。また、出入口３３は、廊下２４と収納室１８との間の出入口２７と廊下２４を挟んで対向している。この場合、各出入口２７，３３を通じて廊下３１から収納室１８に出入りすることが可能となっており、ひいては収納室１８を経由して脱衣室１６やキッチン１４へ行き来することが可能となっている。また、出入口３３にはドア３３ａが設けられている。
【００３８】
廊下３１は、廊下２４よりも第１方向Ｘにおいて玄関１１とは反対側に延びている（延出している）。廊下３１は、この延出した部分においてリビング１２と隣接している。廊下３１は、リビング１２と第２方向Ｙ（東西方向）に隣接しており、その廊下３１とリビング１２との間にはそれら両空間ｌ２，３１の出入りを可能とする出入口３６が設けられている。
【００３９】
出入口３６には、その出入口３６を開閉する開閉体３７が設けられている。開閉体３７は、複数の長尺材が格子状に並べて形成された引き戸、つまり格子戸とされている。開閉体３７において長尺材同士の間の隙間は廊下３１とリビング１２とを通気可能に連通する通気部３７ａとなっている。なお、開閉体３７が仕切体に相当する。
【００４０】
また、廊下３１において玄関１１とは反対側の突き当たり部分には勝手口３９が設けられている。この勝手口３９を通じて廊下３１から屋外に出入り可能となっている。また、勝手口３９には勝手口ドア３９ａが設けられている。
【００４１】
続いて、玄関１１及び廊下３１の脇に設けられた脇スペースについて図１に加え図２を用いながら説明する。図２は、玄関１１及び廊下３１の脇スペースを示す正面図である。
【００４２】
図１及び図２に示すように、玄関１１の脇（玄関脇）には、衣類を収納可能な玄関脇収納スペース４１が設けられている。玄関脇収納スペース４１は、玄関１１（張出領域１１ａ）の東側に設けられ、玄関１１に向けて開放されている。また、玄関脇収納スペース４１は、玄関１１側から廊下３１側に跨がって設けられている。なお、玄関脇収納スペース４１には、収納扉が設けられていない。
【００４３】
玄関脇収納スペース４１には、衣類を吊り下げるための吊り下げ棒４２と、帰宅後の汚れた衣類を置いておくための汚れ物収容部４３とが設けられている。吊り下げ棒４２には、コート等の上着を吊り下げておくことが可能となっている。また、汚れ物収容部４３は、例えばボックスやかご等からなり、子供が外で汚した衣類等を一時的に入れておくことが可能となっている。
【００４４】
玄関１１を屋外と仕切る外壁部２０には換気口４５が設けられている。換気口４５は屋外と玄関１１とを連通しており、その換気口４５を通じて玄関１１の換気が可能となっている。換気口４５は、外壁部２０において玄関口２１と横並びで設けられ、玄関１１（詳しくは張出領域１１ａ）を挟んで廊下３１とは反対側に配置されている。つまり、換気口４５は、廊下３１の幅方向において廊下３１と同じ位置に配置されている。
【００４５】
換気口４５には、換気装置４６が設けられている。換気装置４６は、例えば換気扇とされている。この換気装置４６により玄関１１内の空気が換気口４５を通じて屋外に排出されるようになっており、さらには、それに伴い廊下３１において玄関１１へ向けた空気の流れが生じるようになっている。なお、換気装置４６が気流発生手段に相当する。
【００４６】
廊下３１の脇（廊下脇）には、洗濯機５１の設置スペース５２と、洗濯物を干すための物干しスペース５３と、その物干しスペース５３で乾かした洗濯物を収納する洗濯物収納スペース５４とが設けられている。これら各スペース５２〜５４はいずれも洗濯に関連する洗濯関連スペースとなっている。各スペース５２〜５４はいずれも廊下３１に対してその幅方向（換言すると第２方向Ｙ）の一方側に設けられ、詳しくは廊下３１に対してリビング１２（換言すると廊下２４）とは反対側に設けられている。各スペース５２〜５４は、廊下３１の延びる方向（つまり第１方向Ｘ）に並んで配置され、詳しくは玄関１１側からリビング１２側に向けて、洗濯機５１の設置スペース５２、洗濯物収納スペース５４、物干しスペース５３の順に並んで配置されている。なお、洗濯物収納スペース５４が通路脇収納スペースに相当する。
【００４７】
洗濯機５１の設置スペース５２は、廊下３１の延びる方向（第１方向Ｘ）において玄関脇収納スペース４１と隣接しており、その玄関脇収納スペース４１と仕切壁４４により仕切られている。洗濯機５１は、例えばドラム式とされ、図示しない排水パンの上に設置されている。この場合、洗濯機５１の設置スペース５２は、排水パン上のスペースとなっている。また、設置スペース５２は、廊下３１を挟んで出入口３３と対向する位置に配置されている。
【００４８】
物干しスペース５３は、廊下３１を挟んでリビング１２と隣り合っている。物干しスペース５３には、洗濯物を吊り下げ可能な吊り下げ棒５９が設けられている。物干しスペース５３では、この吊り下げ棒５９に洗濯物を吊り下げて室内干しすることが可能となっている。また、物干しスペース５３の床部には、空調空気の吹出口６２が設けられている。吹出口６２は、廊下３１の延びる方向に複数（本実施形態では２つ）設けられ、吊り下げ棒５９の真下に配置されている。これにより、物干しスペース５３においては、それら吹出口６２から吹き出される空調空気により洗濯物が乾かし易くされている。
【００４９】
ここで、吹出口６２を有して構成される空調設備６０について説明すると、本住宅１０には、共通の空調装置（図示略）により複数の屋内空間の空調（冷暖房）を行う全館式の空調設備６０が設けられている。この空調設備６０における空調装置には複数の空調ダクト６１が接続されており、これらの空調ダクト６１には住宅１０（一階部分）の床部に設けられた吹出口６２が接続されている。吹出口６２は、リビング１２やダイニング１３に加え、物干しスペース５３に設けられている。
【００５０】
空調設備６０では、空調装置により空調空気（冷気又は暖気）が生成され、その生成された空調空気が各空調ダクト６１を通じて各々の吹出口６２に供給される。そして、それら供給された空調空気が各々の吹出口６２よりリビング１２やダイニング１３、物干しスペース５３に吹き出される。これにより、リビング１２やダイニング１３では、空調空気により空調（冷暖房）が行われ、物干しスペース５３では、空調空気により洗濯物が乾かされるようになっている。
【００５１】
洗濯物収納スペース５４は、洗濯機５１の設置スペース５２と物干しスペース５３との間に配置され、それら各スペース５２，５３にそれぞれ隣接している。洗濯物収納スペース５４には、物干しスペース５３で乾かされた洗濯物を吊り下げておくための吊り下げ棒６４や、上記洗濯物を収納する収納棚６５等が設けられている。なお、洗濯物収納スペース５４は、その両側に設けられた仕切板６７により洗濯機５１の設置スペース５２及び物干しスペース５３と仕切られている。
【００５２】
続いて、住宅１０内の空気の流れについて図３に基づいて説明する。図３は、住宅１０内の空気の流れと洗濯動線とを説明するための平面図である。なお、図３では、住宅１０内での空気の流れを点線矢印で示している。
【００５３】
図３に示すように、住宅１０内では、玄関１１に設けられた換気装置４６により、玄関１１内の空気が屋外に排出されるようになっており、さらには、それに伴い廊下３１において玄関１１に向けた空気の流れが生じるようになっている。これにより、玄関脇収納スペース４１（汚れ物収容部４３）に置かれた汚れた衣類に付着した埃や花粉等が廊下３１を通じてリビング１２に流れ込むのを抑制することが可能となっている。
【００５４】
また、物干しスペース５３に吹出口６２より吹き出された空調空気は開閉体３７の通気部３７ａを通じてリビング１２（ＬＤＫ１２〜１４）に導かれるようになっている。例えば、ＬＤＫ１２〜１４には室内の空間を屋外に排出する換気装置（図示略）が設けられ、その換気装置による空気排出に伴い空調空気が物干しスペース５３からリビング１２に導かれるようになっている。この空調空気は、洗濯物の水分を含んで湿気を帯びた空気となっている。これにより、リビング１２には湿潤した空調空気を取り込むことが可能となっている。なお、リビング１２に取り込まれない一部の空調空気は換気装置４６により玄関１１へと導かれて屋外に排出される。
【００５５】
続いて、住宅１０内における洗濯動線について説明する。なお、図３では、洗濯動線を実線矢印で示している。
【００５６】
図３に示すように、玄関脇収納スペース４１（汚れ物収容部４３）に置かれた汚れた衣類を洗濯する際には、その衣類を玄関１１から洗濯機５１へ持ち運んで洗濯する。この場合、洗濯機５１は玄関脇収納スペース４１の隣りにあるため、衣類を洗濯する作業がし易くなっている。
【００５７】
洗濯機５１で洗濯した後は、その洗濯した洗濯物を洗濯機５１から物干しスペース５３に持ち運んで干す。この場合、物干しスペース５３が洗濯機５１と同じく廊下３１の脇に設けられているため、洗濯物を干す作業がし易くなっている。
【００５８】
物干しスペース５３で洗濯物を乾かした後は、その乾いた洗濯物を物干しスペース５３から洗濯物収納スペース５４に持ち運んで収納する。この場合、洗濯物収納スペース５４は物干しスペース５３の隣りにあるため、洗濯物を収納する作業がし易くなっている。
【００５９】
ちなみに、物干しスペース５３で乾いた洗濯物を洗濯物収納スペース５４に収納する際には、まず乾いた洗濯物をまとめて吊り下げ棒６４に吊り下げておき、その後、各居住者がそれぞれ自らの洗濯物を所定の収納場所に収納することが考えられる。
【００６０】
このように、本住宅１０では、廊下３１が、洗濯、洗濯物干し、洗濯物の収納（取り入れ）といった一連の洗濯家事を行う際の移動動線（洗濯動線）として用いられるようになっている。また、廊下３１からは、収納室１８を経由してキッチン１４や脱衣室１６に移動することが可能となっており、図３では、その際の移動動線（家事動線）を一点鎖線の矢印で示している。
【００６１】
以上、詳述した本実施形態の構成によれば、以下の優れた効果が得られる。
【００６２】
玄関１１からリビング１２へ通じる廊下３１の脇に、洗濯機５１の設置スペース５２と、その洗濯機５１で洗濯された洗濯物を干す物干しスペース５３とが設けられているため、玄関１１と洗濯機５１と物干しスペース５３との間の移動がし易くなっている。そのため、玄関脇収納スペース４１の汚れた衣類を洗濯機５１で洗濯し、その後洗濯した衣類を物干しスペース５３で干すにあたって、作業効率（家事効率）の向上を図ることができる。
【００６３】
また、廊下３１においては、換気装置４６により玄関１１へ向けた空気の流れが生じるようになっているため、玄関脇収納スペース４１の汚れた衣類に付着した埃や花粉等が廊下３１を通じてリビング１２へ流れ込むのを抑制することができる。これにより、洗濯家事の家事効率向上を図ることができるとともに、リビング１２（ひいてはＬＤＫ）側へ埃や花粉等の異物が流れ込むのを抑制することができる。
【００６４】
物干しスペース５３で乾かされた洗濯物を、その隣りに設けられた洗濯物収納スペース５４に収納することができる。これにより、洗濯と洗濯物干しとに加え、干し終わった洗濯物の片付けを含めた一連の洗濯家事を行うにあたり、家事効率向上を図ることができる。
【００６５】
また、乾いた洗濯物を洗濯物収納スペース５４に集約して収納することができるため、乾いた洗濯物をそれぞれの収納場所へ運んで収納するといった手間を省けるとともに、急な家族からの要望（例えば子供から前日洗濯した部活着を要求される等）に迅速に対応することが可能となる。
【００６６】
廊下３１が玄関１１から直線状に延びており、その廊下３１に沿って洗濯機５１と物干しスペース５３と洗濯物収納スペース５４とが並んで設けられている。この場合、洗濯、洗濯物干し、片付けという一連の洗濯家事をより効率よく行うことが可能となる。
【００６７】
洗濯機５１が玄関脇収納スペース４１と物干しスペース５３との間に配置されているため、玄関１１から洗濯機５１への移動動線、及び、洗濯機５１から物干しスペース５３への移動動線をそれぞれ短縮化することができる。これにより、玄関脇収納スペース４１の汚れた衣類を洗濯機５１に持ち運んで洗濯する際、及び、その洗濯された洗濯物を物干しスペース５３に持ち運んで干す際のそれぞれにおいて、家事効率の向上を図ることが可能となる。
【００６８】
玄関１１からリビング１２への移動経路として、廊下３１を経由する移動経路（第１移動経路に相当）と、廊下２４を経由して廊下３１を経由しない移動経路（第２移動経路に相当）とが設けられている。この場合、廊下３１は洗濯家事を行う際に利用し、廊下２４はリビング１２への出入りに際し利用することが可能となる。これにより、洗濯家事を行う者と、リビング１２へ出入りする者とが互いに干渉する等の不都合が生じるのを回避することができる。
【００６９】
玄関１１は、玄関口２１よりもその玄関口２１の幅方向（第２方向Ｙ）に張り出した張出領域１１ａを有しており、その張出領域１１ａから廊下３１が上記幅方向と直交する方向（第１方向Ｘ）に延びている。また、廊下３１を廊下２４と仕切る仕切壁３２が玄関１１から延びるように設けられている。この場合、玄関１１に来訪者があった場合に、その来訪者から廊下３１を見えにくくすることができる。つまり、玄関１１から延びる廊下３１を洗濯動線として用いるようにした構成にあって、廊下３１を玄関１１側から見えにくくすることができる。
【００７０】
〔第２の実施形態〕
次に、第２の実施形態について説明する。図４は、本実施形態における住宅の一階部分の間取りを示す平面図である。図５は、玄関及び通路領域の脇スペースを示す正面図である。以下においては、この図４及び図５に基づき、本実施形態の住宅の一階部分の間取りについて説明する。なお、図４では、その上下方向が南北方向となっており、その左右方向が東西方向となっている。
【００７１】
図４に示すように、住宅７０の一階部分には、屋内空間として、玄関７１と、玄関ホール７２と、ＬＤＫ７３と、トイレ７４と、脱衣室７５と、浴室７６、収納室７７とが設けられている。住宅７０の北側には、玄関７１と玄関ホール７２と収納室７７と脱衣室７５と浴室７６とが東西方向にこの順に並んで設けられている。この場合、隣り合う玄関ホール７２と収納室７７との間には出入口８１が設けられ、隣り合う収納室７７と脱衣室７５との間には出入口８２が設けられている。これにより、玄関ホール７２と収納室７７と脱衣室７５とが各出入口８１，８２を介して連続され、それにより、玄関７１から脱衣室７５へ延びる直線状の通路領域８５が形成されている。また、脱衣室７５からＬＤＫ７３には出入口８６を介して出入り可能となっている。このため、通路領域８５は、玄関７１からＬＤＫ７３へと通じている。なお、この場合、ＬＤＫ７３が居室に相当する。また、ＬＤＫ７３は、リビング７３ａとダイニング７３ｂとキッチン７３ｃとが連続した連続空間となっている。
【００７２】
続いて、この通路領域８５の脇に設けられた脇スペースについて図４に加え図５に基づき説明する。図５は通路領域８５の脇スペースを示す正面図である。
【００７３】
図４及び図５に示すように、玄関ホール７２には、換言すると玄関７１の脇には、玄関脇収納スペース８８が設けられている。玄関脇収納スペース８８は、コート等の上着を吊り下げておくために利用されているとともに、帰宅直後の汚れた衣類を置いておくための汚れ物置き場として用いられている。
【００７４】
収納室７７には、通路領域８５の脇に、物干しスペース９１と洗濯物収納スペース９２とが設けられている。これら各スペース９１，９２はいずれも通路領域８５を挟んだ両側にそれぞれ設けられている。各スペース９１，９２のうち、洗濯物収納スペース９２が玄関７１側に配置され、物干しスペース９１が反玄関７１側に配置されている。通路領域８５を挟んだ両側の各スペース９１，９２のうち、一方側の各スペース９１，９２については玄関脇収納スペース８８と通路領域８５に沿って並んで配置されている。なお、洗濯物収納スペース９２が通路脇収納スペースに相当する。
【００７５】
収納室７７において物干しスペース９１の床部には空調空気の吹出口９４が設けられている。吹出口９４は、通路領域８５の両側の各物干しスペース９１にそれぞれ設けられている。これらの吹出口９４には空調ダクト９５を通じて空調装置より空調空気が供給され、それら供給された空調空気が各吹出口９４よりそれぞれ吹き出される。これにより、本実施形態においても、それら吹き出される空調空気により洗濯物が乾かし易くされている。
【００７６】
また、収納室７７は仕切体９７によりＬＤＫ７３と仕切られている。仕切体９７は、収納室７７とＬＤＫ７３とを通気可能に連通する通気部９７ａが設けられている。これにより、吹出口９４より吹き出された空調空気は通気部９７ａを通じてＬＤＫ７３に導かれるようになっている（図４の点線矢印参照）。したがって、ＬＤＫ７３には、湿気を含んだ空調空気を取り込むことが可能となっている。
【００７７】
脱衣室７５には、通路領域８５の脇に、洗濯機９８の設置スペース９９が設けられている。この設置スペース９９に洗濯機９８が設置されている。洗濯機９８の設置スペース９９は、収納室７７における通路領域８５の一方側に配置された各スペース９１，９２と、玄関脇収納スペース８８と、通路領域８５に沿って並んで配置されている。
【００７８】
また、玄関７１には、その玄関７１を屋外と仕切る外壁部１０３に換気口１０１が設けられている。換気口１０１には、換気扇からなる換気装置１０２が設けられている。この換気装置１０２により、通路領域８５において玄関７１へ向けた空気の流れが生じるようになっている。なお、換気装置１０２が気流発生手段に相当する。
【００７９】
以上、詳述した本実施形態の構成によれば、以下の優れた効果が得られる。
【００８０】
玄関７１からＬＤＫ７３へ通じる通路領域８５の脇に、洗濯機９８の設置スペース９９と、その洗濯機９８で洗濯された洗濯物を干す物干しスペース９１とが設けられているため、玄関７１と洗濯機９８と物干しスペース９１との間の移動がし易くなっている。そのため、玄関脇収納スペース８８の汚れた衣類を洗濯機９８で洗濯し、その後洗濯した衣類を物干しスペース９１で干すにあたって、作業効率（家事効率）の向上を図ることができる。なお、図４では、その際の洗濯動線を実線矢印で示している。
【００８１】
また、通路領域８５においては、換気装置１０２により玄関７１へ向けた空気の流れ（図４の点線矢印参照）が生じるようになっているため、玄関脇収納スペース８８の汚れた衣類に付着した埃や花粉等が通路領域８５を通じてＬＤＫ７３へ流れ込むのを抑制することができる。これにより、洗濯家事の家事効率向上を図ることができるとともに、ＬＤＫ７３側へ埃や花粉等の異物が流れ込むのを抑制することができる。
【００８２】
通路領域８５を挟んだ両側においてそれぞれ物干しスペース９１と洗濯物収納スペース９２とが隣接して設けられているため、各物干しスペース９１で乾かされた洗濯物をそれぞれ、その隣りに設けられた洗濯物収納スペース９２に収納することができる。これにより、洗濯と洗濯物干しとに加え、干し終わった洗濯物の片付けを含めた一連の洗濯家事について、家事効率向上を図ることができる。
【００８３】
通路領域８５が玄関７１から直線状に延びており、その通路領域８５に沿って洗濯機９８と物干しスペース９１と洗濯物収納スペース９２とが並んで設けられている。この場合、洗濯、洗濯物干し、片付けという一連の洗濯家事をより効率よく行うことが可能となる。
【００８４】
〔他の実施形態〕
本発明は上記実施形態に限らず、例えば次のように実施されてもよい。
【００８５】
・上記各実施形態では、物干しスペース５３，９１において吹出口６２，９４を床部に設けたが、吹出口６２，９４を天井部や壁部等に設けてもよい。また、吹出口６２，９４の個数は必ずしも２つである必要はなく、１つでも３つ以上でもよい。
【００８６】
また、物干しスペース５３，９１には必ずしも吹出口を設ける必要はなく、空調空気を用いずに洗濯物を乾かすようにしてもよい。
【００８７】
・上記第１の実施形態において、玄関脇収納スペース４１を仕切板により複数のスペースに仕切り、それら仕切った各スペースのうち一方のスペースに吊り下げ棒４２を設け、他方のスペースに汚れ物収容部４３を設けるようにしてもよい。この場合、外出の際に着るコート等の上着と、帰宅後の汚れた衣類とを各スペースに分けて収納することができる。
【００８８】
また、クリーニングに出す衣類や、クリーニングから戻ってきた衣類を収納するために玄関脇収納スペース４１を用いてもよい。
【００８９】
・上記各実施形態では、通路領域３１，８５を直線状としたが、通路領域を平面視でＬ字状とする等、途中で曲がった形状としてもよい。
【符号の説明】
【００９０】
１０…住宅、１１…玄関、１２…居室としてのリビング、３１…通路領域としての廊下、３７…仕切体としての開閉体、４１…玄関脇収納スペース、４６…気流発生手段としての換気装置、５１…洗濯機、５２…設置スペース、５３…物干しスペース、５４…通路脇収納スペースとしての洗濯物収納スペース、６２…吹出口、７０…住宅、７１…玄関、８５…通路領域、８８…玄関脇収納スペース、９１…物干しスペース、９２…通路脇収納スペースとしての洗濯物収納スペース、９４…吹出口、９７…仕切体、９８…洗濯機、９９…設置スペース、１０２…気流発生手段としての換気装置。
【図１】
2020125664.tif 000003
【図２】
2020125664.tif 000004
【図３】
2020125664.tif 000005
【図４】
2020125664.tif 000006
【図５】
2020125664.tif 000007